(57)【要約】    【課題】長期間使用された場合であってもグリップの変形等が発生しない軽量の釣竿の提供。    【解決手段】この釣竿１０は、釣竿本体１５とグリップ１６とを有する。グリップ１６は、コア部材１８と、補強線材１９とを有する。コア部材１８は、釣竿本体１５の後端部に設けられる。補強線材１９は、カーボンヤーンを含む。カーボンヤーンは、予め熱硬化性樹脂により被覆されている。熱硬化性樹脂は、エポキシ樹脂が採用される。補強線材１９は、コア部材１８の先端部２４から少なくとも３０ｍｍの領域２５に巻回される。コア部材は、発泡倍率が２倍〜２０倍の発泡ウレタンから構成される。【選択図】図２
2005245352.tif 000002
【特許請求の範囲】
【請求項１】
釣竿本体及び釣竿本体の後端部に設けられたグリップを有し、
当該グリップは、その先端から後端側に向かって上記釣竿の後端部が嵌め込まれた発泡樹脂からなるコア部材と、当該コア部材の外周面のうち少なくとも上記先端から後端側に向かって３０ｍｍの領域に配置された補強線材とを備え、
当該補強線材は、予め熱硬化性樹脂により被覆された繊維が焼成定着されることによって螺旋状に巻回配置されている釣竿。
【請求項２】
釣竿本体及び釣竿本体の後端部に設けられたグリップを有し、
当該グリップは、その先端から後端側に向かって上記釣竿の後端部が嵌め込まれた発泡樹脂からなるコア部材と、当該コア部材の外周面のうち少なくとも上記先端から後端側に向かって３０ｍｍの領域に螺旋状に巻回された金属線材とを備えている釣竿。
【請求項３】
上記コア部材は、発泡倍率が２倍〜２０倍の発泡ウレタンから構成されている請求項１に記載の釣竿。
【請求項４】
上記コア部材は、発泡倍率が２倍〜２０倍の発泡ウレタンから構成されている請求項２に記載の釣竿。
【発明の詳細な説明】
【技術分野】
【０００１】
本発明は、釣竿、特に釣人が把持するグリップの構造に関するものである。
【背景技術】
【０００２】
図４は、一般的な釣竿の外観図である。通常釣竿１は、その後端部にグリップ２が設けられており、釣人はこのグリップ２を把持し、釣竿１を操作する。グリップ２は、釣人が握りやすいように、一般に紡錘形等に形成されている。より具体的には、グリップ２は、紡錘形等に形成されたコア部材３を有し、釣竿１の後端部がこのコア部材３に挿入されている。さらに、釣人がグリップ２を握った際に手が滑らないように、コア部材３の周囲に滑止部材４が巻回されている場合もある（例えば、特許文献１、特許文献２参照）。
【０００３】
【特許文献１】特開２０００−２５３７７９号
【特許文献２】特開２０００−２０９９８４号
【発明の開示】
【発明が解決しようとする課題】
【０００４】
図５は、釣人が釣竿のグリップを握った状態を示す図である。同図が示すように、釣人が釣竿１を把持した状態では、釣竿１は、釣人の手によって片持ち状に支持されることになる。例えばへら竿等においては、釣竿１がきわめて長尺に形成される場合がある。その場合、釣竿１には自重に起因する大きな曲げモーメントが作用し、したがって、釣竿１のグリップ２にも大きな支点反力が作用する。この支点反力は、通常は、釣人の親指５と接触する部位（支点部位）６に集中荷重として作用する。
【０００５】
ところで、長尺の釣竿１の場合、その軽量化のために、グリップ２を構成するコア部材３は発泡材等により形成される。このため、グリップ２の絶対的な機械的強度は低下せざるを得ず、その結果、上記支点部位６に大きな支点反力が繰り返して作用した場合には、当該支点部位６が変形ないし破壊してしまうおそれがある。この不都合が解消されるためには、上記コア部材３の機械的強度が向上されればよい。しかし、これではグリップ２の重量ひいては釣竿１の重量が大きくなり、釣竿１の操作性が低下するという新たな問題が生じる。
【０００６】
そこで、本発明の目的は、長期間使用された場合であってもグリップの変形等が発生しない軽量の釣竿を提供することである。
【課題を解決するための手段】
【０００７】
(1) 上記目的が達成されるため、本発明に係る釣竿は、釣竿本体及び釣竿本体の後端部に設けられたグリップを有し、当該グリップは、その先端から後端側に向かって上記釣竿の後端部が嵌め込まれた発泡樹脂からなるコア部材と、当該コア部材の外周面のうち少なくとも上記先端から後端側に向かって３０ｍｍの領域に配置された補強線材とを備え、当該補強線材は、予め熱硬化性樹脂により被覆された繊維が焼成定着されることによって螺旋状に巻回配置されていることを特徴とするものである。
【０００８】
この構成によれば、コア部材には補強線材が巻回されているので、コア部材の表面は硬化し、剛性が向上する。コア部材は発泡樹脂からなるので、釣竿の軽量化も実現される。しかも、上記補強線材は少なくとも上記領域に配置されるから、実釣時において少なくとも釣人の親指が接触する部位、すなわち釣人がグリップを把持した際に支点反力として集中荷重が作用する部位が補強されることになる。したがって、釣竿の重量増加は効果的に抑制される。
【０００９】
(2) また、上記目的が達成されるため、本発明に係る釣竿は、釣竿本体及び釣竿本体の後端部に設けられたグリップを有し、当該グリップは、その先端から後端側に向かって上記釣竿の後端部が嵌め込まれた発泡樹脂からなるコア部材と、当該コア部材の外周面のうち少なくとも上記先端から後端側に向かって３０ｍｍの領域に螺旋状に巻回された金属線材とを備えていることを特徴とするものである。
【００１０】
この構成によれば、コア部材には金属線材が巻回されているので、コア部材の表面は硬化し、剛性が向上する。金属線材としては、例えばチタニウム合金が採用され、その線径は０．０５ｍｍ〜０．８ｍｍに設定され得る。コア部材は発泡樹脂からなるので、釣竿の軽量化も実現される。しかも、上記金属線材は少なくとも上記領域に配置されるから、実釣時において少なくとも釣人の親指が接触する部位、すなわち釣人がグリップを把持した際に支点反力として集中荷重が作用する部位が補強されることになる。したがって、釣竿の重量増加は効果的に抑制される。
【００１１】
(3) 前述のコア部材は、発泡倍率が２倍〜２０倍の発泡ウレタンから構成されるのが好ましい。かかる材料からコア部材が構成されることによって、コア部材の著しい軽量化が実現される。
【発明の効果】
【００１２】
本発明によれば、コア部材が発泡樹脂により構成され、これに強化線材が巻回されることによって、グリップの重量増加が抑制されつつ剛性が向上される。したがって、長期間使用された場合であってもグリップの変形等が発生しない軽量の釣竿が提供される。
【発明を実施するための最良の形態】
【００１３】
以下、適宜図面が参照されつつ、好ましい実施形態に基づいて本発明が詳細に説明される。
【００１４】
＜第１の実施形態＞
図１は、本発明の第１の実施形態に係る釣竿の正面図である。本実施形態では、この釣竿１０はへら釣用の竿として構成されている。ただし、本発明は、へら釣り用の竿にのみ適用されるものではなく、渓流竿、鮎竿その他さまざまな用途の釣竿に適用され得る。
【００１５】
釣竿１０は、釣竿本体１５とグリップ１６とを備えている。釣竿本体１５は、４本の節１１〜１４からなり、各節１１〜１４が長手方向に沿って継がれている。具体的には、各節１１〜１４は並継により連結されており、第１番節１１の後端部が第２番節１２の先端部に嵌め込まれ、第２番節１２の後端部が第３番節１３の先端部に嵌め込まれ、同様に第３番節１３の後端部が第４番節１４の先端部に嵌め込まれている。なお、釣竿本体１５は、さらに多数の節により構成することもできるし、各節１１〜１４が振出式に組み立てられていてもよい。
【００１６】
第２番節１２〜第４番節１４は、細長筒状に形成されており、たとえば繊維強化樹脂が筒状に焼成される等、公知の要領で製造される。第１番節１１は、中実構造に形成されているが、第１番節１１も筒状に形成されていてもよい。なお、第１番節１１の先端には、釣糸を連結するための釣糸連結部１７が形成されている。
【００１７】
図２は、釣竿１０の要部拡大分解斜視図であり、グリップ１６の構造が詳細に示されている。同図が示すように、グリップ１６は、第４番節１４の後端部２２に設けられている。グリップ１６は、釣人が釣竿１０を使用する際に実際に把持する部分である。
【００１８】
グリップ１６は、グリップ１６の骨格を構成するコア部材１８と、コア部材１８の周囲に配置された補強線材１９とを有している。
【００１９】
コア部材１８は、釣人が握りやすいように、その外形形状が同図に示すような略紡錘形に形成されている。ただし、コア部材１８の外形形状は、釣人にとって握りやすいものであれば特に限定されるものではない。コア部材１８は、筒状に形成されており、内部に釣竿本体収容部２０が設けられている。同図が示すように、この釣竿本体収容部２０は、コア部材１８の先端に開口２１を有しており、上記第４番節１４は、この開口２１から釣竿本体収容部２０の内部に嵌め込まれる。上記開口２１の内径寸法は、上記第４番節１４の後端部２２の外径寸法に対応されている。したがって、第４番節１４の後端部２２は、コア部材１８の先端から後端側に向かって（矢印２３に沿って）当該コア部材１８に隙間なく嵌め込まれる。
【００２０】
コア部材１８は、発泡樹脂により一体的に形成される。本実施形態では、コア部材１８は、発泡倍率が２倍〜２０倍の発泡ウレタンにより構成されている。もっとも、コア部材１８は、他の発泡樹脂から構成されていてもよい。
【００２１】
強化線材１９は、同図が示すように、上記コア部材１８の周面に螺旋状に密に巻かれている。この強化繊維１９は、予め熱硬化性樹脂により被覆されたカーボンヤーンからなる。そして、このカーボンヤーンが上記コア部材１８の周面に螺旋状に巻回され、加熱されることによって上記熱硬化性樹脂が溶融固化する。つまり、この熱硬化性樹脂が接着剤の機能を果たし、これにより、上記カーボンヤーンがコア部材１８に定着する。熱硬化性樹脂は、典型的にはエポキシ樹脂が採用されるが、他の熱硬化性樹脂が採用されてもよいことは勿論である。また、補強線材１９としては、カーボンヤーンに代えてガラス繊維が採用されてもよい。
【００２２】
本実施形態では、上記強化線材１９は、コア部材１８の周面全体に配置されるが、この強化線材１９は、少なくともコア部材８の先端部２４から後端側に向かって３０ｍｍの領域２５に配置されていればよい。この領域２５は、釣人がグリップ１６を握った際に親指が当接される部分であり、実釣時に最も頻繁に集中荷重が作用する部位である。
【００２３】
釣竿１０がきわめて長尺に形成された場合、釣人がグリップ１６を把持して当該釣竿１０を操作したときは、グリップ１６に大きな支点反力が集中荷重として作用する。本実施形態に係る釣竿１０では、コア部材１８に補強線材１９が巻回されているので、コア部材１８の表面は硬化し、剛性が向上する。したがって、釣竿１０が長尺に形成され、長期間に渡って使用された場合であっても、グリップ１６の局部的な変形ないし破壊は発生しない。しかも、コア部材１８は発泡樹脂からなるので、釣竿１０の軽量化も実現される。
【００２４】
また、上記補強線材１９は、少なくとも上記領域２５に配置されるから、実釣時において少なくとも釣人の親指が接触する部位、すなわち釣人がグリップ１６を把持した際に支点反力として集中荷重が作用する部位が集中的に補強されることになる。したがって、コア部材１８に補強線材１９が巻き付けられていても、釣竿１０の重量増加は効果的に抑制されるという利点がある。
【００２５】
＜第２の実施形態＞
次に、本発明の第２の実施形態について説明される。
【００２６】
図３は、本発明の第２の実施形態に係る釣竿の要部拡大斜視図であって、グリップの構造が詳細に示されている。本実施形態に係る釣竿３０が上記第１の実施形態に係る釣竿１０と異なるところは、上記釣竿１０では、グリップ１６のコア部材１８に巻き付けられた補強線材１９はカーボンヤーン等であるのに対し、本実施形態に係る釣竿３０では、コア部材１８に金属線材３１が巻き付けられている点である。なお、その他の構成については、上記第１の実施形態と同様である。
【００２７】
上記金属線材３１は、典型的にはチタニウム合金等が採用され、その線径寸法は、０．０５ｍｍ〜０．８ｍｍに設定される。また、金属線材３１は、コア部材１８に螺旋状に巻回されているが、そのピッチが大きく設定されており、同図が示すように、当該金属線材３１は、コア部材１８にＸ字状に巻回されている。もっとも、この金属線材３１は、上記第１の実施形態と同様に、コア部材１８に密に巻き付けられていてもよいことは勿論である。さらに、本実施形態では、金属線材３１は、コア部材１８の全体に巻き付けられているが、上記第１の実施形態と同様に、領域２５にのみ巻回されていてもよい。
【００２８】
本実施形態に係る釣竿１０においても、コア部材１８に金属線材３１が巻回されているので、コア部材１８の表面は硬化し、剛性が向上する。したがって、釣竿３０が長尺に形成され、長期間に渡って使用された場合であっても、グリップ１６の局部的な変形ないし破壊は発生しない。また、コア部材１８は発泡樹脂からなり、金属線材３１としては、前述のようなきわめて細い線材が採用されるので、釣竿３０の軽量化も実現される。さらに、金属線材３１が上記領域２５にのみ配置されることによって、釣竿３０の重量増加は効果的に抑制される。
【００２９】
なお、上記第１の実施形態では、補強線材１９がコア部材１８に密に巻回されているが、第１の実施形態においても、本実施形態と同様に、補強線材１９がＸ字状に巻回されていてもよいことは勿論である。
【産業上の利用可能性】
【００３０】
本発明は、釣人が把持するグリップを備えた釣竿に適用され得る。
【図面の簡単な説明】
【００３１】
【図１】図１は、本発明の第１の実施形態に係る釣竿の正面図である。
【図２】図２は、本発明の第１の実施形態に係る釣竿の要部拡大分解斜視図である。
【図３】図３は、本発明の第２の実施形態に係る釣竿の要部拡大斜視図である。
【図４】図４は、従来の一般的な釣竿の外観図である。
【図５】図５は、釣人が従来の釣竿のグリップを握った状態を示す図である。
【符号の説明】
【００３２】
１０・・・釣竿
１５・・・釣竿本体
１６・・・グリップ
１９・・・補強線材
２０・・・釣竿本体収容部
２１・・・開口
２２・・・後端部
２４・・・先端部
２５・・・領域
３０・・・釣竿
３１・・・金属線材
【図１】
2005245352.tif 000003
【図２】
2005245352.tif 000004
【図３】
2005245352.tif 000005
【図４】
2005245352.tif 000006
【図５】
2005245352.tif 000007